(57)【特許請求の範囲】
【請求項１】
入力制御装置ＯＩＤ１００と、電子制御ユニットＥＣＵ１００と、駆動回路装置ＣＤ１００と、冷媒インジェクタＩＪ１００と、蒸発器ＥＶＡ１００と、圧縮ポンプＰＵＭＰ１００と、凝結器ＣＯＮ１００と、減圧レギュレータＲ１００と、スイッチ弁Ｖ１００と、管路Ｐ１００とを備え、
凝結器ＣＯＮ１００と蒸発器ＥＶＡ１００との間に、減圧レギュレータＲ１００とスイッチ弁Ｖ１００を設置し、及び同時に凝結器ＣＯＮ１００と蒸発器ＥＶＡ１００との間に、冷媒インジェクタＩＪ１００を設置し、電子制御ユニットＥＣＵ１００を通して制御することによって、スイッチ弁Ｖ１００及び減圧レギュレータＲ１００を制御し、または、冷媒インジェクタＩＪ１００の動作を制御し、二者またはその中の一つにより、冷媒ＲＥＦ１００を蒸発器ＥＶＡ１００の内部または外部へ送り込み、
冷媒を冷媒インジェクタＩＪ１００によって細顆粒状または微細な霧状にしてから、蒸発器ＥＶＡ１００の内部または外部に噴霧し、細顆粒状または微細な霧状冷媒を加速して、蒸発器ＥＶＡ１００の表面に噴霧することによって、拡散して薄膜を形成し、及び蒸発させ、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
電子制御ユニットＥＣＵ１００は、機電制御装置、固相電子回路装置及びマイクロプロセッサと関連ソフトウェアによって構成されることにより、入力制御装置ＯＩＤ１００のコマンドを受け、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする冷媒の供給制御を行う調温システム。
【請求項２】
温度計測器ＴＤ１００をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号を受け、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項１に記載の冷媒の供給制御を行う調温システム。
【請求項３】
液体冷媒検出器ＨＤ１００をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び液体冷媒検出器ＨＤ１００によって処理した計測信号を受け、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項１に記載の冷媒の供給制御を行う調温システム。
【請求項４】
温度計測器ＴＤ１００及び液体冷媒検出器ＨＤ１００をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項１に記載の冷媒の供給制御を行う調温システム。
【請求項５】
エアーを蒸発器ＥＶＡ１００にブローするファンＦ１０１をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出し、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項４に記載の冷媒の供給制御を行う調温システム。
【請求項６】
エアーを蒸発器ＥＶＡ１００にブローするファンＦ１０１、及びエアーを凝結器ＣＯＮ１００にブローするファンＦ１０２をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出し、
ファンＦ１０２は、電気モータまたは機械的な回転力によって駆動されるファンであり、エアーを凝結器ＣＯＮ１００に通過させ、凝結器ＣＯＮ１００とエアーを熱交換させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項４に記載の冷媒の供給制御を行う調温システム。
【請求項７】
熱交換装置ＨＥ１００および二次側管路Ｐ２００をさらに備え、
蒸発器ＥＶＡ１００を熱交換装置ＨＥ１００と結合し、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって、熱エネルギーを伝送する構造であり、
二次側管路Ｐ２００は、熱交換装置ＨＥ１００の二次側管路であり、気体または液体流体を通過させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項４に記載の冷媒の供給制御を行う調温システム。
【請求項８】
ファンＦ１０２をさらに備え、
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御し、
駆動回路装置ＣＤ１００は、電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、噴射方向と設定量と設定強度を制御し、細顆粒状または微細な霧状を蒸発器ＥＶＡ１００の内部または外部に噴入させ、または冷媒インジェクタＩＪ１００の噴射を停止させ、
冷媒インジェクタＩＪ１００は、機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、設定された噴射方向と設定量と設定強度で加圧噴射し、細顆粒状または微細な霧状を蒸発器ＥＶＡ１００の内部または外部に噴入させ、
蒸発器ＥＶＡ１００は、良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設け、
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らし、
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮し、
凝結器ＣＯＮ１００は、良好な熱伝導性の材料によって構成され、その内部に冷媒ＲＥＦ１００が流通する管路構造を備え、
減圧レギュレータＲ１００は、膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御し、
スイッチ弁Ｖ１００は、人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００に制御され、開／閉し、
管路Ｐ１００は、冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって、熱エネルギーを伝送する構造であり、
二次側管路Ｐ２００は、熱交換装置ＨＥ１００の二次側管路であり、気体または液体流体を通過させ、
ファンＦ１０２は、電気モータまたは機械的な回転力によって駆動されるファンであり、エアーを凝結器ＣＯＮ１００に通過させ、凝結器ＣＯＮ１００とエアーを熱交換させ、
入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、
（１）スイッチ弁Ｖ１００を閉じ、冷媒インジェクタＩＪ１０１を通して、能動的に冷媒ＲＥＦ１００を蒸発器ＥＶＡ１００内に噴入するモード、または
（２）スイッチ弁Ｖ１００を導通させ、減圧レギュレータＲ１００を経て、冷媒ＲＥＦ１００の蒸発器ＥＶＡ１００への供給を制御するモード、または
（３）（１）と（２）の二種類のモードによって、交替して冷媒ＲＥＦ１００を蒸発器ＥＶＡ１００に供給するモード、または
（４）（１）と（２）の二種類のモードによって、同時に冷媒ＲＥＦ１００を蒸発器ＥＶＡ１００に供給するモード
の供給及び制御を行うことを特徴とする請求項７に記載の冷媒の供給制御を行う調温システム。
【請求項９】
一体型または分離型空調（冷暖房）、氷蓄熱空調、冷蔵庫、冷凍や降温または加熱温度制御、除湿応用装置への応用を含むことを特徴とする請求項１に記載の冷媒の供給制御を行う調温システム。
【請求項１０】
一体型または分離型空調（冷暖房）、氷蓄熱空調、冷蔵庫、冷凍や降温または加熱温度制御、除湿応用装置への応用を含むことを特徴とする請求項２に記載の冷媒の供給制御を行う調温システム。
【請求項１１】
一体型または分離型空調（冷暖房）、氷蓄熱空調、冷蔵庫、冷凍や降温または加熱温度制御、除湿応用装置への応用を含むことを特徴とする請求項３に記載の冷媒の供給制御を行う調温システム。
【請求項１２】
一体型または分離型空調（冷暖房）、氷蓄熱空調、冷蔵庫、冷凍や降温または加熱温度制御、除湿応用装置への応用を含むことを特徴とする請求項４に記載の冷媒の供給制御を行う調温システム。
【請求項１３】
一体型または分離型空調（冷暖房）、氷蓄熱空調、冷蔵庫、冷凍や降温または加熱温度制御、除湿応用装置への応用を含むことを特徴とする請求項５に記載の冷媒の供給制御を行う調温システム。
【請求項１４】
一体型または分離型空調（冷暖房）、氷蓄熱空調、冷蔵庫、冷凍や降温または加熱温度制御、除湿応用装置への応用を含むことを特徴とする請求項６に記載の冷媒の供給制御を行う調温システム。
【請求項１５】
一体型または分離型空調（冷暖房）、氷蓄熱空調、冷蔵庫、冷凍や降温または加熱温度制御、除湿応用装置への応用を含むことを特徴とする請求項７に記載の冷媒の供給制御を行う調温システム。
【請求項１６】
一体型または分離型空調（冷暖房）、氷蓄熱空調、冷蔵庫、冷凍や降温または加熱温度制御、除湿応用装置への応用を含むことを特徴とする請求項８に記載の冷媒の供給制御を行う調温システム。
【発明の詳細な説明】
【技術分野】
【０００１】
本発明は、冷媒の供給制御を行う調温システムに関する。
【背景技術】
【０００２】
従来の空調または冷凍に応用される調温システム、例えば一体型または分離型空調（冷暖房）、氷蓄熱空調、冷蔵庫、冷凍や降温または加熱温度制御、除湿応用装置などの冷媒が蒸発器に入るとき、通常調整コイルまたは調整弁を経て、受動的に蒸発器に吸入されるので、拡散度と均一度が低い。
【発明の概要】
【発明が解決しようとする課題】
【０００３】
上述のように、従来の空調または冷凍に応用される調温システム、例えば一体型または分離型空調（冷暖房）、氷蓄熱空調、冷蔵庫、冷凍や降温または加熱温度制御、除湿応用装置などの冷媒が蒸発器に入るとき、通常調整コイルまたは調整弁を経て、受動的に蒸発器に吸入されるので、拡散度と均一度が低い。本発明は、上述の問題に鑑みてなされたものであり、その目的は、拡散度および均一度を向上可能な冷媒の供給制御を行う調温システムを提供することにある。
【課題を解決するための手段】
【０００４】
本発明の冷媒の供給制御を行う調温システムは、凝結器ＣＯＮ１００と蒸発器ＥＶＡ１００との間に、蒸発器ＥＶＡ１００から来る減圧レギュレータＲ１００を制御するスイッチ弁Ｖ１００を設置し、及び同時に凝結器ＣＯＮ１００と蒸発器ＥＶＡ１００との間に、冷媒インジェクタＩＪ１００を設置し、また電子制御ユニットＥＣＵ１００を通して制御することによって、スイッチ弁Ｖ１００及び減圧レギュレータＲ１００を制御し、または、冷媒インジェクタＩＪ１００の動作を制御し、二者またはその中の一つにより、冷媒ＲＥＦ１００を蒸発器ＥＶＡ１００の内部または外部へ送り込む。
【０００５】
構造から言えば、従来の乾式膨張（dry-expansion）蒸発器の冷媒は、銅管内で氷水の熱エネルギーを吸収した後、過熱ガスに蒸発させてから圧縮機に戻り、氷水がシェルに入ってから銅管外部を覆う。満液式（flooded）蒸発器の場合は、蒸発器の内部または外部に冷媒を入れ、冷媒はシェル側での水位を一定に保ち、冷媒が氷水の熱エネルギーを吸収した後、気体冷媒に蒸発させてから圧縮機に戻る。噴霧式（spray type）蒸発器は、液状冷媒を噴霧させ、蒸発器に薄膜を形成することによって、氷水の熱エネルギーを吸収した後、気体冷媒に蒸発させてから圧縮機に戻る。流下膜式（falling type）蒸発器の液状冷媒は液滴状、柱状または薄片状になってから流下し、気泡の混じった冷媒ガスが液体冷媒の重力に影響され、液体冷媒と一緒に下方へ移動する。
【０００６】
本発明に開示された冷媒の供給制御を行う調温システムは、冷媒を冷媒インジェクタＩＪ１００によって細顆粒状または微細な霧状にしてから、蒸発器ＥＶＡ１００の内部または外部に噴霧し、細顆粒状または微細な霧状冷媒を加速して、蒸発器ＥＶＡ１００の表面に噴霧することによって、拡散して薄膜を形成し、及び蒸発させ、また前述の蒸発させた気体冷媒を蒸発器ＥＶＡ１００の表面から離れるように圧迫する。
【０００７】
本発明は一種の一体型または分離型空調（冷暖房）、氷蓄熱空調、冷蔵庫、冷凍や降温または加熱温度制御、除湿応用装置に応用される冷媒の供給制御を行う調温システムであって、従来の減圧レギュレータＲ１００とスイッチ弁Ｖ１００を直列に接続し、冷媒インジェクタＩＪ１００と、凝結器ＣＯＮ１００流体の出口と蒸発器ＥＶＡ１００との間に並列に接続することによって、冷媒の供給制御を行う調温システムを構成する。入力装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
【図面の簡単な説明】
【０００８】
【図１】本発明システムの基本原理の主なシステム構成模式図である。
【図２】本発明の図１に温度計測器ＴＤ１００を追加設置するシステム構成模式図である。
【図３】本発明の図１に液体冷媒検出器ＨＤ１００を追加設置するシステム構成模式図である。
【図４】本発明の図１に温度計測器ＴＤ１００及び液体冷媒検出器ＨＤ１００を追加設置するシステム構成模式図である。
【図５】本発明の図４にエアーを蒸発器ＥＶＡ１００にブローするファンＦ１０１を追加設置するシステム構成模式図である。
【図６】本発明の図４にエアーを蒸発器ＥＶＡ１００にブローするファンＦ１０１、及びエアーを凝結器ＣＯＮ１００にブローするファンＦ１０２を追加設置するシステム構成模式図である。
【図７】図４の蒸発器ＥＶＡ１００を、熱交換装置ＨＥ１００と結合するシステムブロック模式図である。
【図８】図７にファンＦ１０２を追加設置するシステムブロック模式図である。
【発明を実施するための形態】
【０００９】
本発明の冷媒の供給制御を行う調温システムは、凝結器ＣＯＮ１００と蒸発器ＥＶＡ１００との間に、蒸発器ＥＶＡ１００から来る減圧レギュレータＲ１００を制御するスイッチ弁Ｖ１００を設置し、及び同時に凝結器ＣＯＮ１００と蒸発器ＥＶＡ１００との間に、冷媒インジェクタＩＪ１００を設置し、また電子制御ユニットＥＣＵ１００を通して制御することによって、スイッチ弁Ｖ１００及び減圧レギュレータＲ１００を制御し、または、冷媒インジェクタＩＪ１００の動作を制御し、二者またはその中の一つにより、冷媒ＲＥＦ１００を蒸発器ＥＶＡ１００の内部または外部へ送り込む。
【００１０】
構造から言えば、従来の乾式膨張（dry-expansion）蒸発器の冷媒は、銅管内で氷水の熱エネルギーを吸収した後、過熱ガスに蒸発させてから圧縮機に戻り、氷水がシェルに入ってから銅管外部を覆う。満液式（flooded)蒸発器の場合は、蒸発器の内部または外部に冷媒を入れ、冷媒はシェル側での水位を一定に保ち、冷媒が氷水の熱エネルギーを吸収した後、気体冷媒に蒸発させてから圧縮機に戻る。噴霧式（spray type）蒸発器は、液状冷媒を噴霧させ、蒸発器に薄膜を形成することによって、氷水の熱エネルギーを吸収した後、気体冷媒に蒸発させてから圧縮機に戻る。流下膜式（falling type）蒸発器の液状冷媒は液滴状、柱状または薄片状になってから流下し、気泡の混じった冷媒ガスが液体冷媒の重力に影響され、液体冷媒と一緒に下方へ移動する。
【００１１】
本発明に開示された冷媒の供給制御を行う調温システムは、冷媒を冷媒インジェクタＩＪ１００によって細顆粒状または微細な霧状にしてから、蒸発器ＥＶＡ１００の内部または外部に噴霧し、細顆粒状または微細な霧状冷媒を加速して、蒸発器ＥＶＡ１００の表面に噴霧することによって、拡散して薄膜を形成し、及び蒸発させ、また前述の蒸発させた気体冷媒を蒸発器ＥＶＡ１００の表面から離れるように圧迫する。
【００１２】
本発明は一種の一体型または分離型空調（冷暖房）、氷蓄熱空調、冷蔵庫、冷凍や降温または加熱温度制御、除湿応用装置に応用される冷媒の供給制御を行う調温システムであって、従来の減圧レギュレータＲ１００とスイッチ弁Ｖ１００を直列に接続し、冷媒インジェクタＩＪ１００と、凝結器ＣＯＮ１００流体の出口と蒸発器ＥＶＡ１００との間に並列に接続することによって、冷媒の供給制御を行う調温システムを構成する。入力装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
本項の冷媒の供給制御を行う調温システムの実施例について、下記に説明する。
図１は本発明システムの基本原理の主なシステム構成模式図である。
図１に示すように、その主な構成は以下の通りである。
【００１３】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
【００１４】
−−  電子制御ユニットＥＣＵ１００：機電制御装置、固相電子回路装置及びマイクロプロセッサと関連ソフトウェアによって構成されることにより、入力制御装置ＯＩＤ１００のコマンドを受け、駆動回路装置ＣＤ１００の操作を通して、スイッチ弁Ｖ１００や減圧レギュレータＲ１００、冷媒インジェクタＩＪ１００の動作タイミングと動作モードを制御する。
【００１５】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００１６】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００１７】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００１８】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００１９】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００の流体の出口と蒸発器ＥＶＡ１００との間に並列に接続することによって、凝結器ＣＯＮ１００から来る冷媒に対して、降圧及び流体を制御する。
【００２０】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００の流体の出口と蒸発器ＥＶＡ１００との間に並列に接続することによって、回路装置ＣＤ１００を駆動し、開／閉を制御する。
【００２１】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００２２】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図２は本発明の図１に温度計測器ＴＤ１００を追加設置するシステム構成模式図である。
図２に示すように、その主な構成は以下の通りである。
【００２３】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００２４】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号を受け、駆動回路装置ＣＤ１００の操作を通して、スイッチ弁Ｖ１００や減圧レギュレータＲ１００、冷媒インジェクタＩＪ１００の動作タイミングと動作モードを制御する。
【００２５】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００２６】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００２７】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００２８】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００２９】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００３０】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００３１】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００３２】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図３は本発明の図１液体冷媒検出器ＨＤ１００を追加設置するシステム構成模式図である。
図３に示すように、その主な構成は以下の通りである。
【００３３】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
【００３４】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び液体冷媒検出器ＨＤ１００によって処理した計測信号を受け、駆動回路装置ＣＤ１００の操作を通して、スイッチ弁Ｖ１００や減圧レギュレータＲ１００、冷媒インジェクタＩＪ１００の動作タイミングと動作モードを制御する。
【００３５】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００３６】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００３７】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００３８】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００３９】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００４０】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００４１】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００４２】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００４３】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図４は本発明の図１の温度計測器ＴＤ１００及び液体冷媒検出器ＨＤ１００を追加設置するシステム構成模式図である。
図４に示すように、その主な構成は以下の通りである。
【００４４】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００４５】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御する。
【００４６】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００４７】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００４８】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００４９】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００５０】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００５１】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００５２】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００５３】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００５４】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図５は本発明の図４にエアーを蒸発器ＥＶＡ１００にブローするファンＦ１０１を追加設置するシステム構成模式図である。
図５に示すように、その主な構成は以下の通りである。
【００５５】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００５６】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御する。
【００５７】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００５８】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００５９】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００６０】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００６１】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００６２】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００６３】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００６４】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００６５】
−−  ファンＦ１０１：電気モータまたは機械的な回転力によって駆動されるファンであり、エアーを蒸発器ＥＶＡ１００に通過させ、蒸発器ＥＶＡ１００と熱交換したエアーを再び送り出す。
【００６６】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
【００６７】
図６は本発明の図４にエアーを蒸発器ＥＶＡ１００にブローするファンＦ１０１、及びエアーを凝結器ＣＯＮ１００にブローするファンＦ１０２を追加設置するシステム構成模式図である。
図６に示すように、その主な構成は以下の通りである。
【００６８】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００６９】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御する。
【００７０】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００７１】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００７２】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００７３】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００７４】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００７５】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００７６】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００７７】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
【００７８】
−−  ファンＦ１０１：電気モータまたは機械的な回転力によって駆動されるファンであり、エアーを蒸発器ＥＶＡ１００に通過させ、蒸発器ＥＶＡ１００と熱交換したエアーを再び送り出す。
【００７９】
−−  ファンＦ１０２：電気モータまたは機械的な回転力によって駆動されるファンであり、エアーを凝結器ＣＯＮ１００に通過させ、凝結器ＣＯＮ１００とエアーを熱交換させる。
【００８０】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図７は図４の実施例中の蒸発器ＥＶＡ１００を更に一歩進んで、熱交換装置ＨＥ１００と結合するシステムブロック模式図である。
図７に示すように、その主な構成は以下の通りである。
【００８１】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００８２】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御する。
【００８３】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００８４】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００８５】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００８６】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００８７】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００８８】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【００８９】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【００９０】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
−−  熱交換装置ＨＥ１００：一次側蒸発器ＥＶＡ１００及び二次側管路Ｐ２００を結合させることによって、熱エネルギーを伝送する構造である。
−−  二次側管路Ｐ２００：熱交換装置ＨＥ１００の二次側管路であり、気体または液体流体を通過させる。
【００９１】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
図８は図７にファンＦ１０２を追加設置するシステムブロック模式図である。
図８に示すように、その主な構成は以下の通りである。
【００９２】
−−  入力制御装置ＯＩＤ１００：手動操作電気機械インタフェースによって構成され、またはアナログまたはデジタルで入力信号を制御する回路装置によって構成され、システムの起動／停止、動作モードの選択、設定温度の調節、及びファンを設けたときの風量設定等の動作を制御する。
−−  温度計測器ＴＤ１００：蒸発器によって生じた温度を計測し、電子制御ユニットＥＣＵ１００へ伝送する。
【００９３】
−−  電子制御ユニットＥＣＵ１００：機電制御装置、固相電子回路装置及びマイクロプロセッサと関連ソフトウェアによって構成されることにより、入力制御装置ＯＩＤ１００のコマンド及び温度計測器ＴＤ１００が計測した信号と液体冷媒検出器ＨＤ１００が計測した信号を受けて処理し、駆動回路装置ＣＤ１００の操作を通して、スイッチ弁Ｖ１００や減圧レギュレータＲ１００、冷媒インジェクタＩＪ１００の動作タイミングと動作モードを制御する。
【００９４】
−−  駆動回路装置ＣＤ１００：電子制御ユニットＥＣＵ１００の制御信号を受けてから、スイッチ弁Ｖ１００を制御し、更に減圧レギュレータＲ１００を制御し、凝結器ＣＯＮ１００から来る液体冷媒ＲＥＦ１００を蒸発器ＥＶＡ１００の内部に送り込みまたは輸送をストップさせ、及び冷媒インジェクタＩＪ１００を駆動制御し、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させ、または冷媒インジェクタＩＪ１００の噴射を停止させる。
【００９５】
−−  冷媒インジェクタＩＪ１００：機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定または周期的に方向をスキャンし、及び設定量と設定強度を加圧噴射し、細顆粒状または微細な霧状を蒸発器ＥＶＡ１００の内部または外部に噴入させる。
【００９６】
−−  蒸発器ＥＶＡ１００：良好な熱伝導性の材料によって構成され、その内部に流体が流通する空間構造を備え、蒸発器ＥＶＡ１００に凝結器ＣＯＮ１００に通じる冷媒インジェクタＩＪ１００を設け、及びスイッチ弁Ｖ１００と並列接続し、凝結器ＣＯＮ１００に通じる減圧レギュレータＲ１００を設けることによって、凝結器ＣＯＮ１００から来る冷媒ＲＥＦ１００を蒸発器ＥＶＡ１００内に噴入し、及び蒸発した気体となった冷媒ＲＥＦ１００を流出させ、または完全に蒸発していない液体冷媒ＲＥＦ１００を流出させる出口を設ける。
【００９７】
−−  液体冷媒検出器ＨＤ１００：蒸発器ＥＶＡ１００に設置し、蒸発器ＥＶＡ１００内にある冷媒ＲＥＦ１００の蒸発状況を計測し、冷媒ＲＥＦ１００が完全に蒸発していないとき、液体冷媒ＲＥＦ１００が残留したとき、信号を電子制御ユニットＥＣＵ１００へフィードバックし、電子制御ユニットＥＣＵ１００によって駆動回路装置ＣＤ１００を制御することによって、冷媒インジェクタＩＪ１００を制御し、蒸発器ＥＶＡ１００へ噴入する冷媒ＲＥＦ１００の噴注量を減らす。
【００９８】
−−  圧縮ポンプＰＵＭＰ１００：機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を凝結器ＣＯＮ１００で圧縮し、液体にする。
−−  凝結器ＣＯＮ１００：良好な熱伝導性の材料によって構成され、その内部に冷媒ＲＥＦ１００が流通する管路構造を備える。
【００９９】
−−  減圧レギュレータＲ１００：膨張弁、毛管装置または液面制御装置によって構成され、スイッチ弁Ｖ１００と直列接続してから、更に冷媒インジェクタＩＪ１００と、凝結器ＣＯＮ１００流体の出口と蒸発器ＥＶＡ１００との間に並列に接続することによって、凝結器ＣＯＮ１００から来る冷媒に対して、降圧及び流体を制御する。
【０１００】
−−  スイッチ弁Ｖ１００：人力、機械力、流体力または電磁力によって流体の開閉弁を制御し、減圧レギュレータＲ１００と直列接続してから、更に冷媒インジェクタＩＪ１００と、凝結器ＣＯＮ１００流体の出口と蒸発器ＥＶＡ１００との間に並列に接続することによって、回路装置ＣＤ１００を駆動し、開／閉を制御する。
【０１０１】
−−  管路Ｐ１００：上述した冷媒インジェクタＩＪ１００、減圧レギュレータＲ１００、スイッチ弁Ｖ１００、蒸発器ＥＶＡ１００、圧縮ポンプＰＵＭＰ１００、凝結器ＣＯＮ１００を連結し、冷媒ＲＥＦ１００をその中で循環させる。
−−  熱交換装置ＨＥ１００：一次側蒸発器ＥＶＡ１００及び二次側管路Ｐ２００を結合させることによって、熱エネルギーを伝送する構造である。
−−  二次側管路Ｐ２００：熱交換装置ＨＥ１００の二次側管路であり、気体または液体流体を通過させる。
【０１０２】
−−  ファンＦ１０２：電気モータまたは機械的な回転力によって駆動されるファンであり、エアーを凝結器ＣＯＮ１００に通過させ、凝結器ＣＯＮ１００とエアーを熱交換させる。
【０１０３】
上述した冷媒の供給制御を行う調温システムは、入力制御装置ＯＩＤ１００制御の設定を通して、及び電子制御ユニットＥＣＵ１００と駆動回路装置ＣＤ１００の制御を通して、蒸発器ＥＶＡ１００への冷媒ＲＥＦ１００の供給に対して、下記モードの供給及び制御を行う。（１）スイッチ弁Ｖ１００を閉じ、冷媒インジェクタＩＪ１０１を通して、能動的に冷媒ＲＥＦ１００を蒸発器ＥＶＡ１００内に噴入する。または（２）スイッチ弁Ｖ１００を導通させ、減圧レギュレータＲ１００を経て、冷媒ＲＥＦ１００の蒸発器ＥＶＡ１００への供給を制御する。または（３）（１）と（２）の二種類のモードによって、交替して冷媒ＲＥＦ１００を蒸発器ＥＶＡ１００に供給する。または（４）（１）と（２）の二種類のモードによって、同時に冷媒ＲＥＦ１００を蒸発器ＥＶＡ１００に供給する。
【０１０４】
本項の冷媒の供給制御を行う調温システムの各種モードの選択は、入力制御装置ＯＩＤ１００の設定を通して、蒸発器ＥＶＡ１００に対して冷媒供給モードを単一供給と制御し、または多種モード模式の混合動作を含む。
本項の冷媒の供給制御を行う調温システムが蒸発器ＥＶＡ１００に対する冷媒供給方式は、下記の一種または一種以上を含む。
（１）  スイッチ弁Ｖ１００を閉じ、冷媒インジェクタＩＪ１０１を通して、能動的に冷媒ＲＥＦ１００を蒸発器ＥＶＡ１００に噴入する。または
（２）  スイッチ弁Ｖ１００を導通させ、減圧レギュレータＲ１００を経て、冷媒ＲＥＦ１００の蒸発器ＥＶＡ１００への供給を制御する。または
（３）  （１）と（２）の二種類のモードによって、交替して冷媒ＲＥＦ１００を蒸発器ＥＶＡ１００に供給する。または
（４）  （１）と（２）  の二種類のモードによって、同時に冷媒ＲＥＦ１００を蒸発器ＥＶＡ１００に供給する。
本項の冷媒の供給制御を行う調温システムを実際応用するとき、その構造型態は下記の通りである。
【０１０５】
本項の冷媒の供給制御を行う調温システムの蒸発器ＥＶＡ１００に設置する冷媒インジェクタＩＪ１００は、一個または一個以上によって構成されることを含む。
【０１０６】
本項の冷媒の供給制御を行う調温システムの蒸発器ＥＶＡ１００及び冷媒インジェクタＩＪ１００は、別々の構造または一体構造によって構成されることを含む。
【０１０７】
本項の冷媒の供給制御を行う調温システムの蒸発器ＥＶＡ１００と凝結器ＣＯＮ１００流体の出口との間に、設置されるスイッチ弁Ｖ１００及び減圧レギュレータＲ１００の並列接続は、一個または一個以上の並列接続によって構成されることを含む。
本項の冷媒の供給制御を行う調温システムのスイッチ弁Ｖ１００と減圧レギュレータＲ１００は、別々の構造または一体構造によって構成されることを含む。
【０１０８】
本項の冷媒の供給制御を行う調温システムの蒸発器ＥＶＡ１００、冷媒インジェクタＩＪ１００、スイッチ弁Ｖ１００及び減圧レギュレータＲ１００は、別々の構造またはその中の二者或いは二者以上が一体構造になっていることを含む。
【０１０９】
本項の冷媒の供給制御を行う調温システムの駆動回路装置ＣＤ１００は、更に一歩進んで、冷媒インジェクタＩＪ１００によって噴射を制御する冷煤は、細顆粒状または微細な霧状である。
【０１１０】
本項の冷媒の供給制御を行う調温システムの駆動回路装置ＣＤ１００は、更に一歩進んで、冷媒インジェクタＩＪ１００の噴射方向を制御し、連続、間接または噴射方向の変動を周期的にスキャンすることを含む。
【０１１１】
本項の冷媒の供給制御を行う調温システムは、一体型または分離型空調（冷暖房）、氷蓄熱空調、冷蔵庫、冷凍や降温または加熱温度制御、除湿応用装置への応用を含む。
【符号の説明】
【０１１２】
ＣＤ１００  ・・・・・駆動回路装置
ＣＯＮ１００  ・・・・凝結器
ＥＣＵ１００  ・・・・電子制御ユニット
ＥＶＡ１００  ・・・・蒸発器
Ｆ１０１、Ｆ１０２  ・・・ファン
ＨＤ１００  ・・・・・液体冷媒検出器
ＨＥ１００  ・・・・・熱交換装置
ＩＪ１００  ・・・・・冷媒インジェクタ
ＯＩＤ１００  ・・・・入力制御装置
Ｐ１００  ・・・・・・管路
Ｐ２００  ・・・・・・二次側管路
ＰＵＭＰ１００  ・・・圧縮ポンプ
Ｒ１００  ・・・・・・減圧レギュレータ
ＲＥＦ１００  ・・・・冷媒
ＴＤ１００  ・・・・・温度計測器
Ｖ１００  ・・・・・・スイッチ弁
【図１】
0005937805.tif 000002
【図２】
0005937805.tif 000003
【図３】
0005937805.tif 000004
【図４】
0005937805.tif 000005
【図５】
0005937805.tif 000006
【図６】
0005937805.tif 000007
【図７】
0005937805.tif 000008
【図８】
0005937805.tif 000009